(57)【特許請求の範囲】
【請求項１】
防水施工面１の所要位置に、上面に熱溶着材層２を有する導体片３を固定し、前記防水施工面１全面に亘ってこの施工面１を被う防水シート５を張り、その防水シート５上から電磁誘導加熱により、前記導体片３を加熱し、この熱により溶けた熱溶着材層２でもって前記防水シート５を導体片３に接着固定し、その導体片３を介して防水シート５を防水施工面１に固定する際、前記防水シート５上から電磁誘導加熱を行う装置であって、
ケーブル１１を介し商用電源に接続されて移動可能な装置本体１０と、その装置本体１０からケーブル２１で接続された加熱ホルダー２０とから成り、
上記装置本体１０は、定電圧機能を有して、両手が自由な状態で身体に付けて移動可能であり、
上記加熱ホルダー２０は、片手で持ち運びが可能で装置本体１０から上記ケーブル２１を介して電力が供給される誘導コイルを有して上記導体片３に上記防水シート５を介在して押圧され、上記防水シート５を導体片３に接着固定するに必要な設定時間、前記誘導コイルに交番電流を流し、その誘導コイルからの交番電流により導体片３を発熱させて上記熱溶着材層２を溶かすものであることを特徴とする建築用防水シート施工用電磁誘導加熱装置。
【発明の詳細な説明】
【０００１】
【発明の属する技術分野】
この発明は、陸屋根などを防水する際、その防水シートを陸屋根防水施工面に電磁誘導加熱により接着固定する装置に関するものである。
【０００２】
【従来の技術】
従来、陸屋根などの屋上に防水シートを敷設して防水する際、その防水シートの固定方法として、特開平４−２５４６４９号公報、特開平５−３１５０６４号公報などに開示され、図４に示す、電磁誘導加熱によるものがある。
【０００３】
この技術は、コンクリートなどから成る防水施工面１の所要位置に、上面に熱溶着材層２を有する導体片３をアンカーボルト４等により固定し、前記防水施工面１全面に亘ってこの施工面１を被う防水シート５を張り、その導体片３上に防水シート５を介して電磁誘導加熱具６を押し当て、その電磁誘導加熱具６の電磁誘導作用により、導体片３を発熱させ、この発熱により熱溶着材層２を溶かして防水シート５を接着固定し、その導体片３を介して防水シート５を施工面１に固定する。
【０００４】
このとき、電磁誘導加熱具６はその制御器となる装置本体とは１．５ｍ程のケーブルで接続されており、その装置本体において、電磁誘導加熱具６の高周波加熱コイルのインピーダンスを検出表示して、電磁誘導加熱具６（高周波加熱コイル）と導体片３が正確に一致しているか否かを判断し得るようにしている。
【０００５】
【発明が解決しようとする課題】
一般に、上述の防水シートの施工は、屋上などの電源から離れた所で行われ、その施工面が一辺１００ｍ以上にも及ぶ場合があり、電磁誘導加熱具６は常にその電源から離れた所に位置するため、電源コンセントに延長コードでもって装置本体を接続しており、その延長ケーブルも長いものとなっている。
【０００６】
このため、その長い延長ケーブルを電磁誘導加熱具６（装置本体）の移動毎に引っ張ったりする作業は煩わしいものとなっている。また、ケーブルが長くなると、電圧変動、特に電圧降下が起こり、電圧降下は、交番電流の低下（周波数の変動）を招き、導体片３の電磁誘導加熱度に大きく影響する。導体片３の加熱度合は、防水シート５と導体片３の接着強度に影響する。
【０００７】
一般に、電磁誘導加熱具６による防水シート固着は、時間によってその固着度合を設定しているため、電圧変動によって固着度合が変動することとなり、防水性に問題が生じる。
【０００８】
因みに、装置本体にキャスターを設けて、移動させ易いようにし得るが、勾配面では装置本体が動いて、ケーブルに引張力などの負荷がかかり、ケーブルの劣化を招く。キャスターを設けなければ、防水シート上を装置本体を引きずることになり、防水層に傷が付く恐れがある。
【０００９】
この発明は、電圧降下をなくして防水シートの固定度合を均一化するとともに、施工性の向上を図ることを課題とする。
【００１０】
【課題を解決するための手段】
上記課題を達成するために、この発明は、まず、定電圧機能などを有する装置本体を両手が自由な状態で身体に付けて移動することとしたのである。その両手が自由な状態としては、背負ったり、肩に掛けたり、腰ベルトで支持したりする等の態様が考えられ、それらの様態であれば、移動も容易であり、電源コンセントから離れて、その電源コンセントからの延長ケーブルが長くても比較的容易に引き回して移動できるからである。これにより、施工性は向上できる。
【００１１】
つぎに、この発明は、その装置本体から電磁誘導具にケーブルでもって電力を供給することとしたのである。作業者が装置本体を背負ったり、肩掛け等とすれば、前記ケーブルはその作業範囲をカバーし得る長さがあればよく、短いものですむため、電磁誘導具の電圧降下の恐れも少なく、その定電圧機能も小型なもので十分であり、装置本体も小型化する。
【００１２】
【発明の実施の形態】
この発明の実施形態としては、防水施工面の所要位置に、上面に熱溶着材層を有する導体片を固定し、前記防水施工面全面に亘ってこの施工面を被う防水シートを張り、その防水シート上から電磁誘導加熱により、前記導体片を加熱し、この熱により溶けた熱溶着材層でもって前記防水シートを導体片に接着固定し、その導体片を介して防水シートを防水施工面に固定する際、前記防水シート上から電磁誘導加熱を行う装置において、商用電源に接続されて移動可能な装置本体と、その装置本体からケーブルで接続された加熱ホルダーとから成り、前記装置本体は、定電圧機能を有して、両手が自由な状態で身体に付けて移動可能であり、前記加熱ホルダーは、片手で持ち運びが可能で装置本体から上記ケーブルを介して電力が供給される誘導コイルを有して上記導体片に上記防水シートを介在して押圧され、前記誘導コイルからの交番電流により導体片を発熱させて上記熱溶着材層を溶かすものである構成を採用し得る。
【００１３】
【実施例】
一実施例を図１乃至図３に示し、この実施例は、装置本体１０と、加熱ホルダー２０とから成る。装置本体１０には、所望の電圧をケーブル２１を介して加熱ホルダー２０に送る定電圧回路などの機能が付与され、所要長さの延長ケーブル１１でもって、商用電源（１００Ｖ）に接続可能となっている。加熱ホルダー２０は、誘導コイルが内蔵され、従来と同様に、把手２２をもって導体片３に防水シート５を介して押し付け、誘導コイルからの交番電流により導体片３を発熱させ、その発熱により熱溶着材層２を溶かして導体片３に防水シート５を接着固定する。
【００１４】
この装置本体１０と加熱ホルダー２０及び各ケーブル１１、２１は図２に示すようにケース３０に収納可能で、持ち運びが自由である。ケーブル１１は補助ケーブルでもって電源コンセントに接続する。また、装置本体１０は、バックパック型のカバー１２に収納可能となっており、このカバー１２には背負い組１３が設けられている。このため、図３に示すように、装置本体１０を背負った状態で作業を行うことができる。
【００１５】
この電磁誘導加熱装置でもって、防水シート５を張設するには、従来と同様に、まず、防水施工面１の所要位置に上面に熱溶着材層２を有する導体片３をアンカーボルト４により固定し、その防水施工面１全面に亘ってこの施工面１を被う防水シート５を張る。つぎに、装置本体１０を背負って、各導体片３の上面を防水シート５を介して電磁誘導加熱し、導体片３に防水シート５を接着固定し、この導体片３を介して施工面１に防水シート５を固定する。この作業を全ての導体片３に対して行う。このとき、装置本体１０と加熱ホルダー２０との距離は短く、電源コンセントから装置本体１０までの延長ケーブル１１が長くても、定電圧回路により、昇圧などが行われて、電圧や周波数を一定とする等の適切な制御が行われて、その接着固定作用は均一に行われる。通常、その接着固定作用は１秒前後で行い得る。
【００１６】
また、装置本体１０を背負っているため、長い延長ケーブルであっても、そのケーブルを比較的スムースに引き回すことができるうえに、勾配面であっても、装置本体１０が自由に移動することもない。このため、作業性が良い上に、 ケーブルに負担が掛かる恐れも少なく、防水層に傷を与えることもない。
【００１７】
実施例では、背負い紐１３としたが、肩掛け紐として、装置本体１０を肩掛けで持ち運ぶようにし得る。また、他の持ち運び手段としては、腰ベルトなどの周知の手段を採用し得る。
【００１８】
【発明の効果】
この発明は、以上のように、電磁誘導加熱の制御部を背負ったり、肩掛けしたり等して作業をし得るようにしたので、施工性を向上できるとともに、 防水シートの接着固定度合を均一化でき、一定レベルの防水機能を有する防水施工を行うことができる。
【図面の簡単な説明】
【図１】一実施例の斜視図
【図２】同実施例の収納図
【図３】同実施例による作業状態図
【図４】電磁誘導加熱による防水シートの施工説明図
【符号の説明】
１  防水施工面
２  熱溶着材層
３  導体片
４  アンカーボルト
５  防水シート
６、２０  加熱ホルダー（電磁誘導加熱具）
１０  装置本体
１１、２１  ケーブル
１２  カバー（背負いバッグ）
１３  背負い紐
【図１】
0003787532.tif 000002
【図２】
0003787532.tif 000003
【図３】
0003787532.tif 000004
【図４】
0003787532.tif 000005